【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
（ａ）（ｉ）テレフタル酸、ならびに任意選択的に１つまたは複数の追加の芳香族および／または脂肪族ジカルボン酸を含むジカルボン酸モノマー、
（ｉｉ）１０〜２０個の炭素原子を有する１つまたは複数の脂肪族ジアミン、および任意選択的に１つまたは複数の追加のジアミンを含むジアミンモノマー
から誘導された繰り返し単位を有し、２７０℃より高い融点を有する４０〜９５重量％の少なくとも１つのポリアミドと、
（ｂ）任意選択的に１つまたは複数のアミノカルボン酸および／またはラクタムと、
（ｃ）５〜４０重量％の二酸化チタンと、
（ｄ）０〜４０重量％の少なくとも１つの無機補強材または充填材と、
（ｅ）０〜３重量％の少なくとも１つの酸化安定剤と、
を含むポリアミド組成物を含み、重量％は組成物の総重量を基準とすることを特徴とする、発光ダイオードアセンブリハウジング。
【請求項２】
請求項１に記載のハウジングを含むことを特徴とする、発光ダイオードアセンブリ。
【手続補正２】
【補正対象書類名】明細書
【補正対象項目名】００４０
【補正方法】変更
【補正の内容】
【００４０】
実施例１および比較実施例１の組成物を、エポキシレンズを含有する発光ダイオードアセンブリハウジングに成形する。実施例１のハウジングは、ハウジングが回路基板に溶接される時の表面ブリスタリング耐性を改善し、比較実施例１のハウジングよりも、エポキシレンズに対するより良好な接着性、およびより良好な白色度／反射率を有する。
以下に、本発明の好ましい態様を示す。
［１］  （ａ）（ｉ）テレフタル酸、ならびに任意選択的に１つまたは複数の追加の芳香族および／または脂肪族ジカルボン酸を含むジカルボン酸モノマー、
（ｉｉ）１０〜２０個の炭素原子を有する１つまたは複数の脂肪族ジアミン、および任意選択的に１つまたは複数の追加のジアミンを含むジアミンモノマー
から誘導された繰り返し単位を有し、約２７０℃より高い融点を有する約４０〜約９５重量％の少なくとも１つのポリアミドと、
（ｂ）任意選択的に１つまたは複数のアミノカルボン酸および／またはラクタムと、
（ｃ）約５〜約４０重量％の二酸化チタンと、
（ｄ）０〜約４０重量％の少なくとも１つの無機補強材または充填材と、
（ｅ）０〜約３重量％の少なくとも１つの酸化安定剤と、
を含むポリアミド組成物を含み、重量％は組成物の総重量を基準とすることを特徴とする、発光ダイオードアセンブリハウジング。
［２］  ポリアミドが、組成物の総重量を基準として約５０〜約８０重量％で存在することを特徴とする［１］に記載のハウジング。
［３］  ポリアミドが、組成物の総重量を基準として約６０〜約８０モル％で存在することを特徴とする［１］に記載のハウジング。
［４］  二酸化チタンが、組成物の総重量を基準として約１５〜約３０重量％で存在することを特徴とする［１］に記載のハウジング。
［５］  二酸化チタンが、組成物の総重量を基準として約２０〜約２５重量％で存在することを特徴とする［１］に記載のハウジング。
［６］  二酸化チタンが無機コーティングおよび有機コーティングを有することを特徴とする［１］に記載のハウジング。
［７］  無機コーティングが金属酸化物であることを特徴とする［６］に記載のハウジング。
［８］  有機コーティングが、カルボン酸、ポリオール、アルカノールアミンおよび／またはケイ素化合物の１つまたは複数であることを特徴とする［６］に記載のハウジング。
［９］  カルボン酸が、アジピン酸、テレフタル酸、ラウリン酸、ミリスチン酸、パルミチン酸、ステアリン酸、ポリヒドロキシステアリン酸、オレイン酸、サリチル酸、リンゴ酸およびマレイン酸の１つまたは複数であることを特徴とする［８］に記載のハウジング。
［１０］  ケイ素化合物が、オルガノアルコキシシラン、アミノシラン、エポキシシラン、メルカプトシランおよびポリヒドロキシシロキサンを含む、シリケート、有機シランおよび有機シロキサンの１つまたは複数であることを特徴とする［８］に記載のハウジング。
［１１］  シランが、ヘキシルトリメトキシシラン、オクチルトリエトキシシラン、ノニルトリエトキシシラン、デシルトリエトキシシラン、ドデシルトリエトキシシラン、トリデシルトリエトキシシラン、テトラデシルトリエトキシシラン、ペンタデシルトリエトキシシラン、ヘキサデシルトリエトキシシラン、ヘプタデシルトリエトキシシラン、オクタデシルトリエトキシシラン、Ｎ−（２−アミノエチル）３−アミノプロピルメチルジメトキシシラン、Ｎ−（２−アミノエチル）３−アミノプロピルトリメトキシシラン、３−アミノプロピルトリエトキシシラン、３−グリシドキシプロピルトリメトキシシラン、３−グリシドキシプロピルメチルジメトキシシランおよび３−メルカプトプロピルトリメトキシシランから選択される１つまたは複数のシランであることを特徴とする［１０］に記載のハウジング。
［１２］  ポリアミドが、テレフタル酸および１，１０−ジアミノデカン；テレフタル酸、イソフタル酸および１，１０−ジアミノデカン；テレフタル酸、１，１０−ジアミノデカンおよび１，１２−ジアミノドデカン；テレフタル酸、ドデカン二酸および１，１０−ジアミノデカン；テレフタル酸、セバシン酸および１，１０−ジアミノデカン；テレフタル酸、アジピン酸および１，１０−ジアミノデカン；テレフタル酸、ドデカン二酸、１，１０−ジアミノデカンおよびヘキサメチレンジアミン；テレフタル酸、アジピン酸、１，１０−ジアミノデカンおよびヘキサメチレンジアミン；テレフタル酸、１，１０−ジアミノデカンおよびヘキサメチレンジアミン；テレフタル酸、アジピン酸、１，１０−ジアミノデカンおよびドデカンジオン酸；テレフタル酸、１，１０−ジアミノデカンおよび１１−アミノウンデカン酸；テレフタル酸、１，１０−ジアミノデカンおよびラウロラクタム；テレフタル酸、１，１０−ジアミノデカンおよびカプロラクタム；テレフタル酸、１，１０−ジアミノデカンおよび２−メチル−１，５−ペタンジアミン；テレフタル酸、アジピン酸、１，１０−ジアミノデカンおよび２−メチル−１，５−ペタンジアミン；テレフタル酸および１，１２−ジアミノドデカン；テレフタル酸、イソフタル酸および１，１２−ジアミノドデカン；テレフタル酸、ドデカン二酸および１，１２−ジアミノドデカン；テレフタル酸、セバシン酸および１，１２−ジアミノドデカン；テレフタル酸、アジピン酸および１，１２−ジアミノドデカン；テレフタル酸、ドデカン二酸、１，１２−ジアミノドデカンおよびヘキサメチレンジアミン；テレフタル酸、アジピン酸、１，１２−ジアミノドデカンおよびヘキサメチレンジアミン；テレフタル酸、アジピン酸および１，１２−ジアミノドデカン；ヘキサメチレンジアミン；テレフタル酸、アジピン酸、１，１２−ジアミノドデカンおよびドデカン二酸；テレフタル酸、１，１２−ジアミノドデカンおよび１１−アミノウンデカン酸；テレフタル酸、１，１２−ジアミノドデカンおよびラウロラクタム；テレフタル酸、１，１２−ジアミノドデカンおよびカプロラクタム；テレフタル酸、１，１２−ジアミノドデカンおよび２−メチル−１，５−ペタンジアミン；ならびにテレフタル酸、アジピン酸、１，１２−ジアミノドデカンおよび２−メチル−１，５−ペタンジアミンから誘導される１つまたは複数のポリアミドであることを特徴とする［１］に記載のハウジング。
［１３］  無機充填材および／または補強材が、ガラス繊維、ウォラストナイト、炭酸カルシウム、タルク、マイカおよびカオリンから選択される１つまたは複数であることを特徴とする［１］に記載のハウジング。
［１４］  無機充填材が、組成物の総重量を基準として約５〜約４０重量％で存在することを特徴とする［１］に記載のハウジング。
［１５］  酸化安定剤が、ホスファイト安定剤、ハイポホスファイト安定剤、ヒンダードフェノール安定剤、ヒンダードアミン安定剤および芳香族アミン安定剤から選択される１つまたは複数であることを特徴とする［１］に記載のハウジング。
［１６］  酸化安定剤が、組成物の総重量を基準として約０．１〜約３重量％で存在することを特徴とする［１］に記載のハウジング。
［１７］  ポリアミド組成物が、組成物の総重量を基準として約０．１〜約３重量％の紫外光安定剤をさらに含むことを特徴とする［１］に記載のハウジング。
［１８］  ［１］に記載のハウジングを含むことを特徴とする、発光ダイオードアセンブリ。